【手続補正書】
【提出日】平成16年6月9日(2004.6.9)
【手続補正１】
【補正対象書類名】明細書
【補正対象項目名】発明の名称
【補正方法】変更
【補正の内容】
【発明の名称】電子機器装着カメラの露出制御装置及び電子機器並びに露出制御方法
【手続補正２】
【補正対象書類名】明細書
【補正対象項目名】特許請求の範囲
【補正方法】変更
【補正の内容】
【特許請求の範囲】
【請求項１】
表示部を有する電子機器に装備され、少なくとも前記表示部の画面の前方または後方に撮影方向を設定できる電子カメラの露出を制御する装置であって、
前記電子カメラが生成する映像信号にもとづき、撮影画像１枚分の前記映像信号の平均的な大きさを表す露出検出情報を生成する露出検出手段と、
前記露出検出手段が生成した前記露出検出情報にもとづき前記電子カメラの露出を調整する露出調整手段と、
前記電子カメラの撮影方向が画面後方であるとき対応する方向検出信号を出力する撮影方向検出手段とを備え、
前記露出検出手段は、１枚の撮影画像を第１および第２のパターンで仮想的に分割し、前記第１のパターンの分割では、前記撮影画像を上部領域と下部領域とに分割して、前記下部領域に対応する前記映像信号の大きさを相対的に強く反映する第１の露出検出情報を生成し、前記第２のパターンの分割では、前記撮影画像を中央領域と周辺領域とに分割して、前記中央領域に対応する前記映像信号の大きさを相対的に強く反映する第２の露出検出情報を生成し、
前記露出調整手段は、前記撮影方向検出手段が前記方向検出信号を出力したときは前記第１の露出検出情報にもとづいて前記電子カメラの露出を調整し、前記撮影方向検出手段が前記方向検出信号を出力していないときは前記第２の露出検出情報にもとづいて前記電子カメラの露出を調整することを特徴とする電子機器装着カメラの露出制御装置。
【請求項２】
前記露出検出手段は、前記第１および第２のパターンで分割した各領域ごとに、対応する前記映像信号を積分する領域積分回路と、領域積分回路が出力する各領域ごとの積分結果に各領域ごとの重みを乗じ加算した結果を前記第１および第２の露出検出情報とする重みづけ加算手段とを含むことを特徴とする請求項１記載の電子機器装着カメラの露出制御装置。
【請求項３】
前記第１のパターンの分割における前記上部領域は前記撮影画像の上部約１／４の領域であることを特徴とする請求項１記載の電子機器装着カメラの露出制御装置。
【請求項４】
前記第２のパターンの分割における前記中央領域はおおむね矩形であり、高さが前記撮影画像の高さの約１／２、幅が前記撮影画像の幅の約１／３であることを特徴とする請求項１記載の電子機器装着カメラの露出制御装置。
【請求項５】
前記電子カメラは撮像素子として固体撮像素子を含むことを特徴とする請求項１記載の電子機器装着カメラの露出制御装置。
【請求項６】
前記固体撮像素子はＣＣＤまたはＣＭＯＳセンサを含むことを特徴とする請求項５記載の電子機器装着カメラの露出制御装置。
【請求項７】
前記電子カメラはビデオカメラまたはデジタルスチルカメラであることを特徴とする請求項１記載の電子機器装着カメラの露出制御装置。
【請求項８】
前記露出調整手段は前記電子カメラの電子シャッタを制御して露出を調整することを特徴とする請求項５記載の電子機器装着カメラの露出制御装置。
【請求項９】
前記電子カメラが生成した前記映像信号を入力とする可変利得増幅回路を含み、前記露出調整手段は前記可変利得増幅回路の利得を制御して露出を調整することを特徴とする請求項１記載の電子機器装着カメラの露出制御装置。
【請求項１０】
前記電子カメラは前記電子機器に内蔵されていることを特徴とする請求項１記載の電子機器装着カメラの露出制御装置。
【請求項１１】
前記電子カメラは前記電子機器に対して着脱可能であることを特徴とする請求項１記載の電子機器装着カメラの露出制御装置。
【請求項１２】
前記電子機器は携帯情報端末であることを特徴とする請求項１記載の電子機器装着カメラの露出制御装置。
【請求項１３】
前記電子機器はパーソナルコンピュータまたはＰＤＡであることを特徴とする請求項１記載の電子機器装着カメラの露出制御装置。
【請求項１４】
表示部を有し、少なくとも前記表示部の画面の前方または後方に撮影方向を設定できる電子カメラが装備された電子機器であって、
前記電子カメラには該電子カメラの露出を制御する露出制御装置が設けられ、
前記露出制御装置は、
前記電子カメラが生成する映像信号にもとづき、撮影画像１枚分の前記映像信号の平均的な大きさを表す露出検出情報を生成する露出検出手段と、
前記露出検出手段が生成した前記露出検出情報にもとづき前記電子カメラの露出を調整する露出調整手段と、
前記電子カメラの撮影方向が画面後方であるとき対応する方向検出信号を出力する撮影方向検出手段とを備え、
前記露出検出手段は、１枚の撮影画像を第１および第２のパターンで仮想的に分割し、前記第１のパターンの分割では、前記撮影画像を上部領域と下部領域とに分割して、前記下部領域に対応する前記映像信号の大きさを相対的に強く反映する第１の露出検出情報を生成し、前記第２のパターンの分割では、前記撮影画像を中央領域と周辺領域とに分割して、前記中央領域に対応する前記映像信号の大きさを相対的に強く反映する第２の露出検出情報を生成し、
前記露出調整手段は、前記撮影方向検出手段が前記方向検出信号を出力したときは前記第１の露出検出情報にもとづいて前記電子カメラの露出を調整し、前記撮影方向検出手段が前記方向検出信号を出力していないときは前記第２の露出検出情報にもとづいて前記電子カメラの露出を調整する、
ことを特徴とする電子機器。
【請求項１５】
表示部を有する電子機器に装備され、少なくとも前記表示部の画面の前方または後方に撮影方向を設定できる電子カメラの露出を制御する装置の露出制御方法であって、
前記電子カメラが生成する映像信号にもとづき、撮影画像１枚分の前記映像信号の平均的な大きさを表す露出検出情報を生成する露出検出ステップと、
前記露出検出ステップが生成した前記露出検出情報にもとづき前記電子カメラの露出を調整する露出調整ステップと、
前記電子カメラの撮影方向が画面後方であるとき対応する方向検出信号を出力する撮影方向検出ステップとを備え、
前記露出検出ステップは、１枚の撮影画像を第１および第２のパターンで仮想的に分割し、前記第１のパターンの分割では、前記撮影画像を上部領域と下部領域とに分割して、前記下部領域に対応する前記映像信号の大きさを相対的に強く反映する第１の露出検出情報を生成し、前記第２のパターンの分割では、前記撮影画像を中央領域と周辺領域とに分割して、前記中央領域に対応する前記映像信号の大きさを相対的に強く反映する第２の露出検出情報を生成し、
前記露出調整ステップは、前記撮影方向検出ステップが前記方向検出信号を出力したときは前記第１の露出検出情報にもとづいて前記電子カメラの露出を調整し、前記撮影方向検出ステップが前記方向検出信号を出力していないときは前記第２の露出検出情報にもとづいて前記電子カメラの露出を調整する、
ことを特徴とする露出制御方法。
【手続補正３】
【補正対象書類名】明細書
【補正対象項目名】０００５
【補正方法】変更
【補正の内容】
【０００５】
本発明はこのような問題を解決するためになされたもので、その目的は、操作者自身を撮像する場合にも、逆光や過順光に的確に対応できる電子機器装着カメラの露出制御装置及び電子機器並びに露出制御方法を提供することにある。
【手続補正４】
【補正対象書類名】明細書
【補正対象項目名】０００６
【補正方法】変更
【補正の内容】
【０００６】
【課題を解決するための手段】
本発明は上記目的を達成するため、表示部を有する電子機器に装備され、少なくとも前記表示部の画面の前方または後方に撮影方向を設定できる電子カメラの露出を制御する装置であって、前記電子カメラが生成する映像信号にもとづき、撮影画像１枚分の前記映像信号の平均的な大きさを表す露出検出情報を生成する露出検出手段と、前記露出検出手段が生成した前記露出検出情報にもとづき前記電子カメラの露出を調整する露出調整手段と、前記電子カメラの撮影方向が画面後方であるとき対応する方向検出信号を出力する撮影方向検出手段とを備え、前記露出検出手段は、１枚の撮影画像を第１および第２のパターンで仮想的に分割し、前記第１のパターンの分割では、前記撮影画像を上部領域と下部領域とに分割して、前記下部領域に対応する前記映像信号の大きさを相対的に強く反映する第１の露出検出情報を生成し、前記第２のパターンの分割では、前記撮影画像を中央領域と周辺領域とに分割して、前記中央領域に対応する前記映像信号の大きさを相対的に強く反映する第２の露出検出情報を生成し、前記露出調整手段は、前記撮影方向検出手段が前記方向検出信号を出力したときは前記第１の露出検出情報にもとづいて前記電子カメラの露出を調整し、前記撮影方向検出手段が前記方向検出信号を出力していないときは前記第２の露出検出情報にもとづいて前記電子カメラの露出を調整することを特徴とする。
また、本発明は、表示部を有し、少なくとも前記表示部の画面の前方または後方に撮影方向を設定できる電子カメラが装備された電子機器であって、前記電子カメラには該電子カメラの露出を制御する露出制御装置が設けられ、前記露出制御装置は、前記電子カメラが生成する映像信号にもとづき、撮影画像１枚分の前記映像信号の平均的な大きさを表す露出検出情報を生成する露出検出手段と、前記露出検出手段が生成した前記露出検出情報にもとづき前記電子カメラの露出を調整する露出調整手段と、前記電子カメラの撮影方向が画面後方であるとき対応する方向検出信号を出力する撮影方向検出手段とを備え、前記露出検出手段は、１枚の撮影画像を第１および第２のパターンで仮想的に分割し、前記第１のパターンの分割では、前記撮影画像を上部領域と下部領域とに分割して、前記下部領域に対応する前記映像信号の大きさを相対的に強く反映する第１の露出検出情報を生成し、前記第２のパターンの分割では、前記撮影画像を中央領域と周辺領域とに分割して、前記中央領域に対応する前記映像信号の大きさを相対的に強く反映する第２の露出検出情報を生成し、前記露出調整手段は、前記撮影方向検出手段が前記方向検出信号を出力したときは前記第１の露出検出情報にもとづいて前記電子カメラの露出を調整し、前記撮影方向検出手段が前記方向検出信号を出力していないときは前記第２の露出検出情報にもとづいて前記電子カメラの露出を調整することを特徴とする。
また、本発明は、表示部を有する電子機器に装備され、少なくとも前記表示部の画面の前方または後方に撮影方向を設定できる電子カメラの露出を制御する装置の露出制御方法であって、前記電子カメラが生成する映像信号にもとづき、撮影画像１枚分の前記映像信号の平均的な大きさを表す露出検出情報を生成する露出検出ステップと、前記露出検出ステップが生成した前記露出検出情報にもとづき前記電子カメラの露出を調整する露出調整ステップと、前記電子カメラの撮影方向が画面後方であるとき対応する方向検出信号を出力する撮影方向検出ステップとを備え、前記露出検出ステップは、１枚の撮影画像を第１および第２のパターンで仮想的に分割し、前記第１のパターンの分割では、前記撮影画像を上部領域と下部領域とに分割して、前記下部領域に対応する前記映像信号の大きさを相対的に強く反映する第１の露出検出情報を生成し、前記第２のパターンの分割では、前記撮影画像を中央領域と周辺領域とに分割して、前記中央領域に対応する前記映像信号の大きさを相対的に強く反映する第２の露出検出情報を生成し、前記露出調整ステップは、前記撮影方向検出ステップが前記方向検出信号を出力したときは前記第１の露出検出情報にもとづいて前記電子カメラの露出を調整し、前記撮影方向検出ステップが前記方向検出信号を出力していないときは前記第２の露出検出情報にもとづいて前記電子カメラの露出を調整することを特徴とする。